(57)【要約】  床面、側板、および前記側板に設けたカゴドアとを備えた乗りカゴの本体と、前記本体の上部に固定された天板と、前記天板に取り付けられた天井機器とを有するエレベーター装置において、前記天板は、複数の溝型鋼からなる天井部材を対向縁同士で接合したものであって、前記天井部材の接合部分を前記本体側に向けた状態配置され、前記天井機器は、前記天板に埋め込まれた埋め込みナットを用いて前記本体側から前記天板に対して固定され、前記天板と一体化した天井ユニット部材を構成している。
2018230161.tif 000002
【特許請求の範囲】
【請求項１】
床面、側板、および前記側板に設けたカゴドアとを備えた乗りカゴの本体と、
前記本体の上部に固定された天板と、
前記天板に取り付けられた天井機器とを有するエレベーター装置において、
前記天板は、複数の溝型鋼からなる天井部材を対向縁同士で接合したものであって、前記天井部材の接合部分を前記本体側に向けた状態配置され、
前記天井機器は、前記天板に埋め込まれた埋め込みナットを用いて前記本体側から前記天板に対して固定され、前記天板と一体化した天井ユニット部材を構成している
エレベーター装置。
【請求項２】
前記天井部材は、前記対向縁をさらに内側に折り込んだリップ部を有するリップ溝型鋼であり、
前記天井ユニット部材は、前記リップ溝型鋼のリップ部に取り付けられた他の天井機器を備えている
請求項１に記載のエレベーター装置。
【請求項３】
前記天井ユニット部材は、
前記本体側に向かう面に前記天板に対して取り外し自在な長尺状の延長部材が設けられ、
前記延長部材の先端に固定された他の天井機器を備えた
請求項１に記載のエレベーター装置。
【請求項４】
前記天井ユニット部材は、前記天板との間に前記天井機器を収容する空間を介して遮蔽板を保持するための遮蔽板保持部材を有する
請求項１に記載のエレベーター装置。
【請求項５】
前記天板と前記天井機器とを一体化した前記天井ユニット部材が、前記本体に対して固定されている
請求項１に記載のエレベーター装置。
【請求項６】
床面、側板、および前記側板に設けたカゴドアとを備えた乗りカゴの本体と、
前記本体の上部に固定された天板と、
前記天板に取り付けられた天井機器とを有するエレベーター装置において、
前記天板は、複数の溝型鋼からなる天井部材を対向縁同士で接合したものであって、前記天井部材の接合部分を前記本体側に向けた状態配置され、
前記天井機器は、前記天板に埋め込まれた埋め込みナットを用いて前記本体側から前記天板に対して固定され、前記天板と一体化した天井ユニット部材を構成し、
前記天井部材は、前記対向縁をさらに内側に折り込んだリップ部を有するリップ溝型鋼であり、
前記天井ユニット部材は、前記リップ溝型鋼のリップ部に取り付けられた他の天井機器と、前記天板との間に前記天井機器を収容する空間を介して遮蔽板を保持するための遮蔽板保持部材とを有し、
前記天板と前記天井機器とを一体化した前記天井ユニット部材が、前記本体に対して固定されている
エレベーター装置。
【請求項７】
床面、側板、および前記側板に設けたカゴドアとを備えた乗りカゴの本体と、
前記本体の上部に固定された天板と、
前記天板に取り付けられた天井機器とを有し、
前記天板は、複数の溝型鋼からなる天井部材を対向縁同士で接合したものであって、前記天井部材の接合部分を前記本体側に向けた状態配置され、
前記天井機器は、前記天板に埋め込まれた埋め込みナットを用いて前記本体側から前記天板に対して固定され、前記天板と一体化した天井ユニット部材を構成しているエレベーター装置のメンテナンス方法であって、
前記本体側から前記天井機器の保守および点検を実施する
エレベーター装置のメンテナンス方法。
【請求項８】
前記天井ユニット部材は、
前記本体側に向かう面に前記天板に対して取り外し自在な長尺状の延長部材が設けられ、
前記延長部材の先端に固定された他の天井機器を備えたものであり、
前記延長部材を前記天板から取り外して前記他の天井機器の保守および点検を実施する  請求項７に記載のエレベーター装置のメンテナンス方法。
【請求項９】
床面、側板、および前記側板に設けたカゴドアとを備えた乗りカゴの本体と、前記本体の上部に固定された天板と、前記天板に取り付けられた天井機器とを有するエレベーター装置の製造方法であって、
複数の溝型鋼からなる天井部材の対向縁同士を接合することによって前記天板を形成し、
前記天板に埋め込まれた埋め込みナットを用いて前記天井部材の接合側から前記天板に対して前記天井機器を固定することにより、前記天井機器と前記天板とを一体化した天井ユニット部材を形成し、
前記天井部材の接合部分を前記本体側に向けた状態で、前記天井ユニット部材を前記本体の上部に固定する
エレベーター装置の製造方法。
【請求項１０】
前記天井ユニット部材を形成する際には、前記天板との間に前記天井機器を収容する空間を介して遮蔽板を保持するための遮蔽板保持部材を、前記天井部材の接合側から前記天板に対して固定する
請求項９に記載のエレベーター装置の製造方法。 
【発明の詳細な説明】
【技術分野】
【０００１】
本発明は、エレベーター装置、エレベーター装置のメンテナンス方法、およびエレベーター装置の製造方法に関する。
【背景技術】
【０００２】
本発明の技術背景として下記特許文献１がある。この文献には「かご室１の上端部周縁に固定され、上面に凹部３が形成されたかご室天井本体２と、かご室天井本体の凹部内に上方から収容され、上面に電気機器９が載置固定された断面コ字状の内側天井部材８と、内側天井部材に載置固定された電気機器の外周面とかご室天井本体の内側面との間に形成され、電気機器の配線・ケーブル１１を収容するスペースからなる配線ダクトと、配線ダクトの上面を塞ぐとともに、配線・ケーブルを隠蔽する配線蓋１２とを備える」構成が記載されている。
【先行技術文献】
【特許文献】
【０００３】
【特許文献１】特開２００８−１３３２８号公報
【発明の概要】
【発明が解決しようとする課題】
【０００４】
上記特許文献１に記載の構成は、カゴ室上部をフラット化することで保守作業の容易性がある程度は確保される。しかしながら、電気機器の保守点検に際して、作業員はかご室の天井に上って作業を実施せざるを得ず、さらなる作業の容易化が望まれている。【０００５】
そこで本発明は、メンテナンス作業を実施するに際し、さらなる作業の容易化を図ることが可能なエレベーター装置を提供すること、さらにはエレベーター装置のメンテナンス方法およびエレベーター装置の製造方法を提供することを目的とする。
【課題を解決するための手段】
【０００６】
上記課題を解決するために、例えば特許請求の範囲に記載の構成を採用する。
本願は上記課題を解決する手段を複数含んでいるが、その一例を挙げるならば、床面、側板、および前記側板に設けたカゴドアとを備えた乗りカゴの本体と、前記本体の上部に固定された天板と、前記天板に取り付けられた天井機器とを有するエレベーター装置において、前記天板は、複数の溝型鋼からなる天井部材を対向縁同士で接合したものであって、前記天井部材の接合部分を前記本体側に向けた状態配置され、前記天井機器は、前記天板に埋め込まれた埋め込みナットを用いて前記本体側から前記天板に対して固定され、前記天板と一体化した天井ユニット部材を構成している。また本発明は、このようなエレベーター装置のメンテナンス方法、およびエレベーター装置の製造方法でもある。
【発明の効果】
【０００７】
以上のような構成の本発明によれば、エレベーター装置のメンテナンス作業を実施するに際し、さらなる作業の容易化を図ることが可能となる。
【図面の簡単な説明】
【０００８】
【図１】第１実施形態のエレベーター装置の全体構成例を示す概略構成図である。
【図２】第１実施形態のエレベーター装置の要部を説明するための構成図である。
【図３】第１実施形態のエレベーター装置の乗りカゴの天井部分の構成を示す図（その１）である。
【図４】第１実施形態のエレベーター装置の乗りカゴの天井部分の構成を示す図（その２）である。
【図５】第１実施形態のエレベーター装置のメンテナンス方法を説明するための図である。
【図６】第１実施形態のエレベーター装置の製造における天井ユニット部材の製造方法を説明するための工程図である。
【図７】第１実施形態のエレベーター装置の製造における天井ユニットの取付け方法を説明するための図（その１）である。
【図８】第１実施形態のエレベーター装置の製造における天井ユニットの取付け方法を説明するための図（その２）である。
【図９】第２実施形態のエレベーター装置の要部を説明するための構成図である。
【図１０】第２実施形態のエレベーター装置の乗りカゴの天井部分の構成を示す図である。
【図１１】第２実施形態のエレベーター装置の乗りカゴの天井部分の要部拡大図である。
【発明を実施するための形態】
【０００９】
≪第１実施形態≫
＜エレベーター装置の全体構成＞
図１は、第１実施形態のエレベーター装置１の全体構成を説明するための概略構成図である。この図に示すように、エレベーター装置１は、建築物に設けられた昇降路１ａおよび昇降路１ａの上部に設けられた機械室１ｂを備えている。このうち昇降路１ａ内には、乗りカゴ２、釣合おもり３、および主ロープ４が収容されている。また機械室１ｂ内には、シーブ５、モーター６、エレベーター制御装置７が収容されている。
【００１０】
乗りカゴ２および釣合おもり３は、昇降路１ａ内において互いに上下反対に昇降する。主ロープ４は、昇降路１ａ内において乗りかご２および釣合おもり３を吊持する。シーブ５は、乗りカゴ２と釣合おもり３との間の主ロープ４の中間部分が巻き掛けられるものである。モーター６は、シーブ５を回転させる。エレベーター制御装置７は、モーター６によるシーブ５の回転速度および回転方向を制御することにより、シーブ５に巻き掛けられた主ロープ４の中間部分を移動させ、主ロープ４に吊持された乗りかご２および釣合おもり３を昇降させる。
【００１１】
以上のような構成のエレベーター装置１において、第１実施形態のエレベーター装置１に特徴的なところは、乗りカゴ２の構成にある。このため以下においては乗りカゴ２の構成を説明する。
【００１２】
＜乗りカゴ２の構成＞
図２は、第１実施形態のエレベーター装置の要部を説明するための構成図であり、第１実施形態の特徴部である乗りカゴ２の構成を説明するための断面図である。図３は、第１実施形態のエレベーター装置の乗りカゴの天井部分の構成を示す図（その１）であり、乗りカゴ２の天井を内側から見上げた図である。図２は、図３のＡ−Ａ断面に相当する。また図４は、第１実施形態のエレベーター装置の乗りカゴの天井部分の構成を示す図（その２）であり、乗りカゴ２の天井において以降に説明する遮蔽板１０３を取り外した状態を内側から見上げた図である。
【００１３】
図２に示すように、乗りカゴ２は、本体２ａと天井ユニット２ｂとで構成されており、それぞれ次のように構成されている。
【００１４】
［本体２ａ］
本体２ａは、乗りカゴ２の下部を構成するものであって、床面２１、床面２１の周縁から立ち上げられて側方部を包囲する側板２２、側板２２の開口に設けられたカゴドア２３（図３参照）、およびカゴドア２３に隣接して側板２２に配置された操作パネル２４を備えている。側板２２は、本体２ａの外周側に向かって上端縁を突設させたフランジ部２２ａを備えている。
【００１５】
このフランジ部２２ａは、本体２ａに対して天井ユニット２ｂを固定するための部分であって、本体２ａの外周の全方向に設けられており、本体２ａの全周にわたって連続したものとして設けられていてもよい。またフランジ部２２ａは、天井ユニット２ｂを固定するためのボルト、ねじ等を貫通させるための複数の貫通孔（図示省略）が形成されている。
【００１６】
［天井ユニット２ｂ］
天井ユニット２ｂは、乗りカゴ２の上部の天井部分を構成するものであって、本体２ａの上部に配置される。この天井ユニット２ｂは、天板１０１、天板固定部材１０２、遮蔽板保持部材１０３ａ、遮蔽板１０３、光源１０４、停電灯１０５、および天井機器１０６を備えている。このうち、遮蔽板１０３を除く構成要素は、天井ユニット２ｂにおける天井ユニット部材１００として一体化された構成となっている。以下、図２〜図４を参照し、これらの各構成要素の詳細を説明する。
【００１７】
−天板１０１−
天板１０１は、乗りカゴ２の本体２ａの上部の開口を塞ぐものであって、複数枚の天井板材１０１ａによって構成されている。各天井板材１０１ａは、板状の鋼材の幅方の両縁を立ち上げて対向させた対向縁１０１ｂを有する溝型鋼であって、さらに立ち上げた対向縁１０１ｂを内側に折り込んだリップ部１０１ｃを有する断面Ｃ型のリップ溝型鋼として構成されている。
【００１８】
ここでは４つの天井板材１０１ａによって天板１０１が構成されていることとする。４つの天井板材１０１ａは、対向縁１０１ｂ同士を接合させる状態で幅方向に配列され、接合部分をボルトで固定して一体化され、天板１０１を構成している。
【００１９】
また天板１０１は、天井板材１０１ａの延設方向の両端側に、ここでの図示を省略した断面コの字型の溝型鋼が、溝型鋼の開口を天井板材１０１ａ側に向けて固定されている。これにより、天板１０１は、全周にわたって、縁部が立ち上げられ、さらに立ち上げられた縁部が内側にリップ部１０１ｃとして折り込まれた形状となっていることとする。
【００２０】
このような構成の天板１０１は、天井板材１０１ａの接合部分、すなわち対向縁１０１ｂを、下方の本体２ａ側に向けて配置される。この天板１０１は、リップ溝型鋼からなる複数の天井板材１０１ａを接合したものであるため、リップ溝型鋼の縁部が補強部となり、補強部材を別体として設けることなく、強度が保たれたものとなる。
【００２１】
−天板固定部材１０２−
天板固定部材１０２は、天板１０１を乗りカゴ２の本体２ａに取り付けるための部材である。このような天板固定部材１０２は、一例として天板１０１に接合される縁部と、本体２ａに接合される縁部とを有するＺ型鋼を用いることができる。このＺ型鋼からなる天板固定部材１０２は、一方の縁部が、リップ溝型鋼からなる天井板材１０１ａのリップ部１０１ｃに接合してボルトによって固定されている。また一方の端縁から天板１０１と逆側に伸びて外周方向に突設された他方の縁部が、本体２ａを構成する側板２２の上端のフランジ部２２ａに接合してボルトによって固定されている。このような天板固定部材１０２は、天板１０１の全周にわたって固定されていることとする。
【００２２】
なお、天板固定部材１０２は、本体２ａのフランジ部２２ａに対して天板１０１を固定できればよく、上述したＺ型鋼からなるものに限定されることはない。さらに、天板固定部材１０２は、必要に応じて設けられればよく、天井板材１０１ａの一部と一体化したものであってもよい。
【００２３】
−遮蔽板保持部材１０３ａ−
遮蔽板保持部材１０３ａは、次に説明する遮蔽板１０３を、天板１０１に対して所定状態で保持するための部材である。このような遮蔽板保持部材１０３ａは、例えばＬ字鋼と、断面コの字型の溝型鋼とを組み合わせた構成のものを用いることができる。この遮蔽板保持部材１０３ａは、天板固定部材１０２に対してＬ字鋼を固定し、さらにこのＬ字鋼に対して溝型鋼を固定して用いられる。溝型鋼は、Ｌ字鋼に対して天板１０１と逆側において、開口が内周側を向くように配置され、開口内に次に説明する遮蔽板１０３の周縁が挿入されることにより、遮蔽板１０３を保持する。
【００２４】
このような遮蔽板保持部材１０３ａは、天板１０１の全周にわたって固定されていることとする。また遮蔽板保持部材１０３ａは、これを構成するＬ字鋼の本体２ａ側に向く面に、以降に説明する停電灯１０５の明かりを取り出すための孔部１０３ｈが設けられている。このような孔部１０３ｈは、乗りカゴ２における対角線上に近い位置に２カ所設けられており、そのうちの１カ所は操作パネル２４の上方であることとする。
【００２５】
なお、遮蔽板保持部材１０３ａは、次に説明する遮蔽板１０３の周縁を保持できればよく、上述したＬ字鋼と溝型鋼とを組み合わせたものに限定されることはない。
【００２６】
−遮蔽板１０３−
遮蔽板１０３は、天井ユニット２ｂの内部構造を目隠しするためのものである。この遮蔽板１０３は、光透過性を有し、次に説明する光源１０４の光を散乱させて乗りカゴ２内に供給するための光散乱板を兼ねるものである。このような遮蔽板１０３は、遮蔽板保持部材１０３ａの溝型鋼の開口に周縁を差し込んで載置することにより遮蔽板保持部材１０３ａに保持され、天井ユニット２ｂの略全面を覆って設けられる。このような遮蔽板１０３は、遮蔽板保持部材１０３ａに保持させた状態において、天板１０１との間に、以降に説明する光源１０４、停電灯１０５、器具ボックス１０６ａ、排気ファン１０６ｂ、およびスピーカー１０６ｃを一体可能に収容する収容空間Ｓを形成する。
【００２７】
また遮蔽板１０３は、遮蔽板保持部材１０３ａの溝型鋼の開口に対して、ある程度の余裕を持って載置されることとする。これにより、遮蔽板１０３は、遮蔽板保持部材１０３ａに保持された状態から傾けて持ち上げることにより、遮蔽板保持部材１０３ａに対する取り外しおよび取り付けが自在な構成となっている。
【００２８】
このような遮蔽板１０３は、１枚の板状ものであってもよいが、複数枚に分割されたものであってもよい。遮蔽板１０３が、複数枚に分割されたものである場合、以降に説明する天井機器１０６の配置箇所に対応して分割されていることが、メンテナンスの容易さから好ましい。また、遮蔽板１０３が複数枚に分割されたものである場合、分割された遮蔽板１０３同士の繋ぎ目は、ある程度の重なりを有することとする。図面においては、カゴドア２３側から奥に向かって３枚に分割された遮蔽板１０３を示しているが、２枚に分割されたものであっても、４枚以上に分割されたものであってもよい。
【００２９】
また遮蔽板１０３は、一例として遮蔽板保持部材１０３ａに保持された状態から傾けて持ち上げることにより、遮蔽板保持部材１０３ａに対する取り外しおよび取り付けが自在な構成となっている。
【００３０】
以上のような遮蔽板１０３は、取り外しの容易性から軽量であることが好ましく、例えばアクリルのような樹脂板材によって構成されていることとする。
【００３１】
−光源１０４−
光源１０４は、遮蔽板１０３を介して乗りカゴ２内を照らす照明部材であって、例えばＬＥＤ照明であるか、ＬＥＤ照明以外の照明機器であってもよい。このような光源１０４は、例えば天井板材１０１ａにおいて本体２ａ側に突出されたリップ部１０１ｃに対し、板状の支持部材１０４ａを介して固定されている。このようなリップ部１０１ｃを利用して光源１０４を天板１０１に固定することにより、天板１０１への光源１０４の固定が容易となる。なお、この光源１０４は、天井機器１０６に対する他の天井機器として設けられている。
【００３２】
−停電灯１０５−
停電灯１０５は、停電時において乗りカゴ２内に明かりを供給する非常用の照明部材である。このような停電灯１０５は、遮蔽板保持部材１０３ａに設けた孔部１０３ｈを介して乗りカゴ２内に明かりを供給する構成であって、例えば天板固定部材１０２に対して孔部１０３ｈに対向する状態で固定されている。このような停電灯１０５は、照度テストを行うことによって決められた２カ所の位置において、孔部１０３ｈに対向させてそれぞれ設けられる。そのうちの１カ所は、例えば操作パネル２４の上方であることとする。なお、停電灯１０５の配置箇所は一例であり、照度テストを行うことによって決められた位置であればよく、また乗りカゴ２の内部に明かりが供給できれば、その配置状態が限定されることはない。なお、停電灯１０５は、天井機器１０６に対する他の天井機器として設けられている。
【００３３】
−天井機器１０６−
天井機器１０６は、乗りカゴ２の天井部分に配置される電気機器であり、例えばカゴドア２３の開閉を制御するドア駆動機器などが収容された器具ボックス１０６ａ、排気ファン１０６ｂ、およびスピーカー１０６ｃ等である。これらの天井機器１０６は、天板１０１に対して、本体２ａ側から固定されている。この場合、例えば天板１０１を構成する天井板材１０１ａに対して埋込ナットＮｔが固定され、この埋込ナットＮｔに対してボルトＶｔを用いて天井機器１０６が固定されている。
【００３４】
また天井機器１０６のうち、ドア駆動機器などが収容された器具ボックス１０６ａは、カゴドア２３に近接して配置されている。この器具ボックス１０６ａは、本体２ａ側に開く扉を有しており、この扉を開くことにより本体２ａ側から内部に収容された機器のメンテナンスが可能な構成となっている。
【００３５】
また器具ボックス１０６ａが設けられた位置には、必要に応じて天井板材１０１ａに開口部が設けられており、この開口部を介して器具ボックス１０６ａ内に収容されたドア駆動機器などに接続された配線が、乗りカゴ２の外側に引き出される構成となっていてもよい。
【００３６】
また排気ファン１０６ｂは、乗りカゴ２内の換気を行うためのものであって、例えばカゴドア２３に対して奥側に配置されている。排気ファン１０６ｂが設けられた位置には、天井板材１０１ａに開口が設けられており、この開口を介して乗りカゴ２内の換気を行うことができる。また排気ファン１０６ｂに接続された配線は、器具ボックス１０６ａに引き込まれ、器具ボックス１０６ａを介して乗りカゴ２の外側に引き出される構成となっていてもよい。
【００３７】
スピーカー１０６ｃは、乗りカゴ２内に警報等を発するためのものであって、例えばカゴドア２３に対して奥側に配置されている。スピーカー１０６ｃに接続された配線は、器具ボックス１０６ａに引き込まれ、器具ボックス１０６ａを介して乗りカゴ２の外側に引き出される構成となっていてもよい。
【００３８】
＜エレベーター装置のメンテナンス方法＞
図５は、第１実施形態のエレベーター装置のメンテナンス方法を説明するための図であり、特には図２〜図４を用いて説明した構成の乗りカゴ２のメンテナンスを説明するための図である。以下、この図に基づいて、第１実施形態のエレベーター装置のメンテナンス方法として、乗りカゴ２のメンテナンスの手順を説明する。
【００３９】
乗りカゴ２のメンテナンスに際し、作業者Ｈは、必要に応じて乗りカゴ２内に作業台Ｒを持ち込み、作業台Ｒに上って天井ユニット２ｂから遮蔽板１０３を取り外す。この場合、遮蔽板１０３が複数に分割されたものであれば、メンテナンスの目的とする天井機器１０６または光源１０４に対応する部分の遮蔽板１０３のみを取り外せばよい。
【００４０】
例えば、器具ボックス１０６ａ内の電気器具の点検であれば、器具ボックス１０６ａが設けられた位置に対応する遮蔽板１０３のみを取り外せばよい。そして、外した遮蔽板１０３を、乗りカゴ２内に一時的に保管する。
【００４１】
次に、器具ボックス１０６ａ内の電気器具の点検であれば、器具ボックス１０６ａの扉Ａを、下方の乗りカゴ２内に開き、乗りカゴ２の内部から器具ボックス１０６ａ内の電気器具の保守および点検を実施する。
【００４２】
また例えば、光源１０４の保守および点検として、光源１０４の交換作業を実施する場合であれば、中央の遮蔽板１０３のみを取り外して交換作業を実施してもよい。また、必要に応じてカゴドア２３側または奥側の遮蔽板１０３を追加で、または交互に取り外して交換作業を行ってもよい。
【００４３】
以上のように、図２〜図４を用いて説明した構成の乗りカゴ２においては、作業者は、乗りカゴ２の天井に登ることなく乗りカゴ２の本体２ａ側、すなわち乗りカゴ２の内部から、天井ユニット部材１００のメンテナンスを実施することができる。したがって、メンテナンス作業の容易性の向上を図ることが可能である。
【００４４】
＜エレベーター装置の製造方法＞
次に、第１実施形態のエレベーター装置のエレベーター装置の製造方法を説明する。ここでは、図２〜図４を用いて説明した構成の乗りカゴ２を有するエレベーター装置の製造方法を、天井ユニット部材の製造方法、天井ユニットの取り付け方法の順に説明する。
【００４５】
［天井ユニット部材の製造方法］
図６は、第１実施形態のエレベーター装置の天井ユニット部材の製造方法を説明するための工程図である。ここで天井ユニット部材とは、図２〜図４を用いて説明した天井ユニット２ｂのうち、取り付け取り外し自在な遮蔽板１０３を除いた部分である。以下、先ず図６に基づいてこのような天井ユニット部材の製造方法を説明する。
【００４６】
先ず図６（Ａ）に示すように、断面Ｃ型のリップ溝型鋼として構成された複数枚（ここでは一例として４枚）の天井板材１０１ａを幅方向に配列し、天井板材１０１ａにおいて立ち上げた対向縁１０１ｂ同士を接合させる。そして接合させた対向縁１０１ｂ同士を、ボルトによって固定して一体化する。またここでの図示は省略したが、各天井板材１０１ａの延設方向の両端側に、断面コの字型の溝型鋼を固定する。なお、４枚の天井板材１０１ａは、必要に応じた部分にそれぞれ埋込ナットＮｔが固定され、ここでの図示を省略した開口が設けられたものであることとする。
【００４７】
以上により、１枚の天板１０１を作製する。作製された天板１０１は、全周にわたって、縁部が立ち上げられ、さらに立ち上げられた縁部が内側にリップ部１０１ｃとして折り込まれた形状となる。また、この天板１０１は、ボルトで固定された各天井板材１０１ａの対向縁１０１ｂおよびリップ部１０１ｃが補強部材として機能するものとなる。したがって、補強部材を追加で固定する必要はない。
【００４８】
次いで図６（Ｂ）に示すように、天板１０１の周縁に、全周にわたって天板固定部材１０２と遮蔽板保持部材１０３ａとを固定する。ここでは先ず、天板１０１の周縁のリップ部１０１ｃに、例えばＺ型鋼からなる天板固定部材１０２を固定する。この際、天板固定部材１０２を構成するＺ型鋼の一方の縁部を、天井板材１０１ａのリップに接合してボルトによって固定し、他方の縁部を天板１０１の外周方向に突設させる。
【００４９】
その後、天板固定部材１０２に対して、例えばＬ字鋼と、断面コの字型の溝型鋼とを組み合わせた遮蔽板保持部材１０３ａを固定する。この際、先ずＬ字鋼の一辺が天板１０１と平行に天板１０１の内周方向に突設されるように、天板固定部材１０２に対してＬ字鋼を固定する。このＬ字鋼は、必要に応じた位置に孔部１０３ｈが設けられたものである。次に、溝型鋼の開口を内側に向けた状態で、Ｌ字鋼に対して天板１０１の逆側に溝型鋼を配置し、Ｌ字鋼に溝型鋼を固定する。
【００５０】
次に、図６（Ｃ）に示すように、天井板材１０１ａのリップ部１０１ｃに、板状の支持部材１０４ａを介して光源１０４を取り付ける。また、遮蔽板保持部材１０３ａに設けた孔部１０３ｈに対向する位置に、停電灯１０５を取り付ける。また天板１０１の所定部に、器具ボックス１０６ａ、排気ファン１０６ｂ、およびスピーカー１０６ｃ等の天井機器１０６を取り付ける。
【００５１】
以上により図２〜図４を用いて説明した天井ユニット２ｂのうちの、遮蔽板１０３を取り付ける前の天井ユニット部材１００を作製する。このような天井ユニット部材１００に対して、遮蔽板１０３を取り付けることにより天井ユニット２ｂが完成される。この遮蔽板１０３は、天井ユニット部材１００を乗りカゴ２の本体２ａに固定した後に、乗りカゴ２内において取り付ければよい。
【００５２】
以上のように、天井ユニット部材１００は、一貫して天井板材１０１ａの接合部分を上方に向けた状態を維持して製造することができる。このため、天井ユニット部材１００の作製に際して天板１０１を裏返しにする必要がなく、製造工程を簡略化して作業性の向上および生産性の向上を図ることが可能である。
【００５３】
［天井ユニットの取り付け方法］
図７は、第１実施形態のエレベーター装置の製造における天井ユニットの取付け方法を説明するための図（その１）である。また図８は、第１実施形態のエレベーター装置の製造における天井ユニットの取付け方法を説明するための図（その２）である。以下、これらの図に基づいて、先の手順で製造した天井ユニット２ｂを、乗りカゴ２の本体２ａに取り付ける方法を説明する。
【００５４】
先ず図７に示すように、遮蔽板１０３が取り付けられていない天井ユニット部材１００を、光源１０４および天井機器１０６が取り付けられた面を下方に向けて乗りカゴ２の本体２ａの上部に配置する。そして、本体２ａにおける側板２２の上端縁のフランジ部２２ａに対して、天井ユニット部材１００の天板固定部材１０２を重ね合わせ、重ね合わせた部分をボルトＶで固定する。
【００５５】
次に図８に示すように、本体２ａに取り付けられた天井ユニット部材１００の遮蔽板保持部材１０３ａに遮蔽板１０３の端縁を保持させることにより、天井ユニット部材１００に対して複数の遮蔽板１０３を順次に取り付ける。これにより、エレベーター装置の乗りカゴ２を完成させる。
【００５６】
このような製造方法によれば、乗りカゴ２の製造に際し、一体化した天井ユニット部材１００を本体２ａの上部に固定すればよいため、現場においての乗りカゴ２の組み立て作業を簡素化することが可能である。
【００５７】
≪第２実施形態≫
図９は、第２実施形態のエレベーター装置の要部を説明するための構成図であり、第２実施形態の特徴部である乗りカゴ２’の構成を説明するための断面図である。図１０は、第２実施形態のエレベーター装置の乗りカゴ２’の天井部分の構成を示す図であり、乗りカゴ２’の天井において遮蔽板を取り外した状態を内側から見上げた図である。図９は、図１０のＡ−Ａ断面に相当する。また図１１は、第２実施形態のエレベーター装置の乗りカゴの天井部分の要部拡大図であり、図１０の一部を拡大した図に相当する。
【００５８】
これらの図を用いて説明する第２実施形態のエレベーター装置が、第１実施形態のエレベーター装置と異なるところは、天井ユニット２ｂ’に設けた停電灯１０５の取り付け構造にある。その他の構成は第１実施形態と同様である。このため以下においては、停電灯１０５の取り付け構造について説明し、その他の第１実施形態のエレベーター装置の天井ユニット２ｂと同様の構成要素には同一の符号を付して重複する説明は省略する。
【００５９】
［天井ユニット２ｂ’］
天井ユニット２ｂ’は、天板１０１、天板固定部材１０２、遮蔽板保持部材１０３ａ、遮蔽板１０３、光源１０４、停電灯１０５、および天井機器１０６を備えている。これらの各構成要素の詳細は、第１実施形態の各部材と同様であり、停電灯１０５は、照度テストを行うことによって決められた位置に取り付けられている。
【００６０】
ただしここでは一例として、天井機器１０６のうちの器具ボックス１０６ａが嵩高い構成であって、これにより停電灯１０５が、器具ボックス１０６ａと、天板固定部材１０２との間の狭い空間に挟まれた状態となっていることとする。
【００６１】
そこで、長尺状の延長部材２０１を用いて停電灯１０５を天板固定部材１０２に対して固定する。この延長部材２０１は、一例としてＬ字状の長尺部材であって、天板１０１の角部に沿ってＬ字状の角部を配置した状態で、天板１０１の四辺を囲む天板固定部材１０２に対して取り付けられる。このような延長部材２０１は、Ｌ字状の一方の辺が停電灯１０５を保持する長尺部２０１ａとして用いられ、他方の辺が天板固定部材１０２への固定辺２０１ｂとして用いられる。
【００６２】
長尺部２０１ａは、Ｌ字状の先端に停電灯１０５を保持し、固定辺２０１ｂを天板固定部材１０２に対して固定した状態において、固定辺２０１ｂが固定された天板固定部材１０２から垂直に伸びる天板固定部材１０２と器具ボックス１０６ａとの間の狭い空間に挿入される。この状態において、長尺部２０１ａは、先端に保持した停電灯１０５が所定の配置位置に配置される程度の長さＬ１を備えている。
【００６３】
一方、固定辺２０１ｂは、延長部材２０１を天板固定部材１０２に固定するためのボルトを貫通させる孔部を備えている。この固定辺２０１ｂのＬ字状の長さＬ２が限定されることはないが、天板固定部材１０２と器具ボックス１０６ａとの間においての延長部材２０１の取り回しが容易な程度に短いこととする。また固定辺２０１ｂのＬ字状の長さＬ２は、天板固定部材１０２に対して延長部材２０１を取り付け取り外しする際に、作業がし易い長さであることとする。
【００６４】
＜エレベーター装置のメンテナンス方法＞
以上のような構成の乗りカゴ２’のメンテナンスに際し、第１実施形態と異なるところは、停電灯１０５のメンテナンスおよび交換に際して、延長部材２０１を天板固定部材１０２から取り外すところにある。この場合、作業者は、延長部材２０１を固定していたボルトＶを取り外すことにより、天板固定部材１０２から延長部材２０１を取り外す。そして、停電灯１０５が固定されている延長部材２０１を、天板固定部材１０２と器具ボックス１０６ａとの間の狭い空間から引き出す。これにより、延長部材２０１の先端に固定されている停電灯１０５の保守および点検作業、例えば交換作業を実施する。
【００６５】
作業者は、保守および点検作業が終了した後、停電灯１０５が固定された延長部材２０１を、天井ユニット２ｂ’の高さにまで持ち上げ、天板固定部材１０２に沿った位置に移動させる。そして、延長部材２０１において停電灯１０５が固定された長尺部２０１ａの先端を、天板固定部材１０２に沿って移動させ、天板固定部材１０２と器具ボックス１０６ａとの間に挿入する。そして、延長部材２０１のＬ字状の角部が、天板１０１の角部に沿って配置された状態で、延長部材２０１の固定辺２０１ｂをボルトＶによって天板固定部材１０２に固定する。
【００６６】
以上の構成によれば、長尺状の延長部材２０１を介して停電灯１０５を取り付ける構成としたことにより、停電灯１０５の取付け部が狭いスペースになった場合であっても、狭いスペースにおける所定の位置に対して停電灯１０５の取付けおよび取り外しが自在となる。したがって、メンテナンス作業を容易化することが可能になる。なお、本第２実施形態においては、延長部材２０１の先端に停電灯１０５を固定した構成を例示した。しかしながら、天井ユニット部材１００内の狭い空間に配置される天井機器（他の天井機器）であれば、停電灯に限定されることなく延長部材２０１を介して取り付けることにより、同様の効果を得ることができる。
【００６７】
なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００６８】
１…エレベーター装置
２…乗りカゴ
２ａ…本体
２１…床面
２２…側板
２３…カゴドア
１００…天井ユニット部材
１０１…天板
１０１ａ…天井部材（リップ溝型鋼）
１０１ｂ…対向縁
１０１ｃ…リップ部
１０３…遮蔽板
１０３ｂ…遮蔽板保持部材
１０４…光源（他の天井機器）
１０５…停電灯（他の天井機器）
１０６…天井機器
１０６ａ…器具ボックス
１０６ｂ…排気ファン
１０６ｃ…スピーカー
２０１…延長部材
Ｎｔ…埋め込みナット
Ｓ…収容空間
【図１】
2018230161.tif 000003
【図２】
2018230161.tif 000004
【図３】
2018230161.tif 000005
【図４】
2018230161.tif 000006
【図５】
2018230161.tif 000007
【図６】
2018230161.tif 000008
【図７】
2018230161.tif 000009
【図８】
2018230161.tif 000010
【図９】
2018230161.tif 000011
【図１０】
2018230161.tif 000012
【図１１】
2018230161.tif 000013
【国際調査報告】
2018230161.tif 000014
2018230161.tif 000015
2018230161.tif 000016
2018230161.tif 000017